(57)【要約】【課題】  自動原稿搬送装置を備える画像読取装置において、原稿の保管、管理の効率化を図る。【解決手段】前記自動原稿搬送装置１１は、原稿を供給する原稿トレイ２１と原稿を排出する排出トレイ２２とを備える。前記原稿トレイ２１と前記排出トレイ２２とが同一形状であり、各トレイ２１，２２は自動原稿搬送装置１１から着脱可能である。このトレイ２１，２２は、自動原稿搬送装置１１から分離した状態で原稿をセットしたまま２つを上下反対に重ね合わせて、箱状にすることが可能である。また、トレイ２１，２２は複数個を上下に重ねて保管することができる。【選択図】図１
2008177699.tif 000002
【特許請求の範囲】
【請求項１】
自動原稿搬送装置を備える画像読取装置において、
前記自動原稿搬送装置は、
原稿を供給する原稿トレイと、
原稿を排出する排出トレイとを備え、
前記原稿トレイと前記排出トレイとが同一形状であり、
各トレイは前記自動原稿搬送装置に着脱可能であることを特徴とする画像読取装置。
【請求項２】
請求項１に記載の画像読取装置であって、
前記自動原稿搬送装置から分離した前記トレイは、２つを上下反対に重ね合わせ、箱状にすることが可能であることを特徴とする画像読取装置。
【請求項３】
請求項１又は２に記載の画像読取装置であって、
前記自動原稿搬送装置から分離した前記トレイは、上下に重ねることが可能であることを特徴とする画像読取装置。
【請求項４】
請求項１から３までの何れか一項に記載の画像読取装置であって、
前記トレイは、原稿の側部を案内するガイドを対で備え、前記ガイドのガイド面同士の間隔が、前記自動原稿搬送装置に接続する側の端部から離れるに従って狭まるように構成されていることを特徴とする画像読取装置。
【請求項５】
請求項１から４までの何れか一項に記載の画像読取装置であって、
前記トレイは、当該トレイを又はこのトレイで保管される原稿を識別するための識別部分を有することを特徴とする画像読取装置。
【請求項６】
請求項１から５までの何れか一項に記載の画像読取装置としてのファクシミリ装置。
【請求項７】
画像読取装置用のトレイにおいて、
前記画像読取装置が備える自動原稿搬送装置の原稿供給口と原稿排出口の何れにも着脱可能に構成したことを特徴とするトレイ。
【請求項８】
請求項７に記載のトレイであって、
前記自動原稿搬送装置から分離して、２つを上下反対に重ね合わせ、箱状にすることが可能であることを特徴とするトレイ。
【請求項９】
請求項７又は８に記載のトレイであって、
前記自動原稿搬送装置から分離して、上下に重ねることが可能であることを特徴とするトレイ。
【請求項１０】
請求項７から９までの何れか一項に記載のトレイであって、
前記トレイは、原稿の側部を案内するガイドを対で備え、前記ガイドのガイド面同士の間隔が、前記自動原稿搬送装置に接続する側の端部から離れるに従って狭まるように構成されていることを特徴とするトレイ。
【請求項１１】
請求項７から１０までの何れか一項に記載のトレイであって、
当該トレイを又はこのトレイで保管される原稿を識別するための識別部分を有することを特徴とするトレイ。
【発明の詳細な説明】
【技術分野】
【０００１】
本発明は、自動原稿搬送装置を備える画像読取装置及びファクシミリ装置、並びにそれらに用いるトレイの構成に関する。
【背景技術】
【０００２】
特許文献１は、画像読取装置ではなく画像形成装置の給紙部分の構成ではあるが、多数枚のシートを積載するシート積載手段からシート給送手段によりシートを一枚ずつ分離して給送するシート給送部を有し、該シート給送部に着脱自在に、複数枚のシートを収納可能な簡易供給カセットを備えるシート給送装置を開示する。特許文献１は、このシート給送装置の構成により、前記着脱自在な簡易供給カセットによってシートを良好に保管するとともに操作性も改善し得るとする。
【特許文献１】特開平９−２３５０２８号公報
【発明の開示】
【発明が解決しようとする課題】
【０００３】
しかし、上記特許文献１の構成は画像形成装置の用紙を保管するためのものであり、読取原稿の保管については全く考慮されていない。そのため、特許文献１では、読取原稿にゴミや汚れが付いて画像読取時に影響する場合がある。また、画像読取装置を使用して原稿を読み取る作業の効率性についても改善の余地がある。
【課題を解決するための手段及び効果】
【０００４】
本発明の解決しようとする課題は以上の如くであり、次にこの課題を解決するための手段とその効果を説明する。
【０００５】
本発明の第１の観点によれば、自動原稿搬送装置を備える画像読取装置の以下の構成が提供される。即ち、前記自動原稿搬送装置は、原稿を供給する原稿トレイと原稿を排出する排出トレイとを備える。前記原稿トレイと前記排出トレイとが同一形状であり、各トレイは前記自動原稿搬送装置に着脱可能である。
【０００６】
これにより、自動原稿搬送装置から分離した状態のトレイに原稿をセットして保管することができる。更に、原稿を読み取りたい時は、原稿をトレイごと自動原稿搬送装置にセットすることができ、また画像読取後は、自動原稿搬送装置から排出された原稿をトレイごと分離してそのまま保管することができる。これによって、原稿の画像読取装置へのセット作業、読取後の原稿の回収及び保管作業の効率化を図れる。また、トレイが自動原稿搬送装置から分離できることからメンテナンスが容易となるとともに、原稿トレイと排出トレイが共通部品になるので製造コストを削減できる。
【０００７】
前記の画像読取装置においては、前記自動原稿搬送装置から分離した前記トレイは、２つを上下反対に重ね合わせ、箱状にすることが可能であることが好ましい。
【０００８】
これにより、トレイに原稿をセットした状態で、もう１つのトレイを上下反対に重ね合わせ、箱状にして保管することで、原稿をゴミや汚れから保護でき、読取画像の画質低下を防止できる。
【０００９】
前記の画像読取装置においては、前記自動原稿搬送装置から分離した前記トレイは、上下に重ねることが可能であることが好ましい。
【００１０】
これにより、複数のトレイ及び原稿をコンパクトなスペースに保管することができる。また、上側に積層されたトレイがカバーの役割を果たし、下側のトレイの原稿をゴミや汚れから保護することができる。
【００１１】
前記の画像読取装置においては、前記トレイは、原稿の側部を案内するガイドを対で備え、前記ガイドのガイド面同士の間隔が、前記自動原稿搬送装置に接続する側の端部から離れるに従って狭まるように構成されていることが好ましい。
【００１２】
これにより、当該トレイに自動原稿搬送装置から原稿を排出するときに、原稿が前記ガイド面によって自動的に案内される。従って、排出原稿の位置が自動的に揃えられるので、原稿を揃えたり整理する作業が簡単になる。
【００１３】
前記の画像読取装置においては、前記トレイは、当該トレイを又はこのトレイで保管される原稿を識別するための識別部分を有することが好ましい。
【００１４】
これにより、原稿の管理の容易化及び作業効率の向上を図ることができる。
【００１５】
本発明の第２の観点によれば、前記の画像読取装置としてのファクシミリ装置が提供される。
【００１６】
また、本発明の第３の観点によれば、画像読取装置用のトレイにおいて、前記画像読取装置が備える自動原稿搬送装置の原稿供給口と原稿排出口の何れにも着脱可能に構成したトレイが提供される。
【００１７】
これにより、自動原稿搬送装置から分離した状態のトレイに原稿をセットして保管することができる。更に、原稿を読み取りたい時は、原稿をトレイごと自動原稿搬送装置の原稿供給口にセットすることができ、また画像読取後は、自動原稿搬送装置の原稿排出口から排出された原稿をトレイごと分離してそのまま保管することができる。これによって、原稿の画像読取装置へのセット作業、読取後の原稿の回収及び保管作業の効率化を図れる。また、トレイが自動原稿搬送装置から分離できることからメンテナンスが容易となるとともに、原稿トレイと排出トレイとを共通部品とすることで製造コストを削減できる。
【発明を実施するための最良の形態】
【００１８】
次に、発明の実施の形態を説明する。図１は本発明の一実施形態に係るコピーファクシミリ複合機の全体的な構成を示した斜視図、図２は前記コピーファクシミリ複合機の自動原稿搬送装置に対するトレイの着脱を示す正面図、図３は自動原稿搬送装置から取り外した状態のトレイの斜視図、図４は自動原稿搬送装置からトレイを取り外して上下反対に重ね合わせた状態を示す斜視図、図５は自動原稿搬送装置から取り外したトレイを上下に重ねた状態を示す斜視図である。
【００１９】
図１に示す画像読取装置としてのコピーファクシミリ複合機１０は、コピー原稿やファクシミリ送信原稿を読み取る画像読取部を備える。この画像読取部はフラットベッドとオートドキュメントフィーダ（ＡＤＦ）兼用のスキャナとして構成されており、ＡＤＦスキャナ部には原稿を搬送するための自動原稿搬送装置１１を備えている。
【００２０】
この自動原稿搬送装置１１は、内部に原稿搬送経路２５を構成した本体２０と、前記原稿搬送経路に原稿を供給する原稿トレイ２１と、原稿搬送経路２５を通過して読み取られた原稿を排出する排出トレイ２２と、を備える。
【００２１】
前記原稿トレイ２１と前記排出トレイ２２は同一形状であり、それぞれのトレイ２１，２２は、上側、及び自動原稿搬送装置１１に接続する側（接続口）を開放させた形状に構成されている。これら原稿トレイ２１及び排出トレイ２２は、後述するように、自動原稿搬送装置１１の本体２０に対して着脱可能に構成されている。
【００２２】
前記本体２０の内部には、前記原稿搬送経路２５に沿って原稿を搬送するための図略の搬送ローラが適宜設置されている。また、本体２０において、前記原稿搬送経路２５の入口側には原稿供給口２３が形成され、出口側には原稿排出口２４が形成されている。
【００２３】
前記原稿供給口２３及び原稿排出口２４にはトレイ差込口１３，１３が形成されており、それぞれのトレイ差込口１３，１３にトレイ２１，２２を接続可能に構成されている。トレイ２１，２２の前記接続口の形状に対応して、トレイ差込口１３，１３は断面がコ字型となっており、この部分にトレイ２１，２２の前記接続口を差し込むことで、トレイ２１，２２を本体２０に取り付けることができる。また、トレイ２１，２２をそのまま引き抜くことで本体２０から取り外すことも可能である。
【００２４】
また、２つのトレイ差込口１３，１３が同一形状であり、トレイ２１，２２も同一形状であるので、原稿トレイ２１を原稿排出口２４側に、排出トレイ２２を原稿供給口２３側に、それぞれ装着することもできる。以上のようにトレイ２１，２２の装着位置を交換できるので、例えば図１の状態で原稿の表の面を画像読取部で読み取って排出トレイ２２に排出した後、この排出トレイ２２を原稿とともに分離して原稿供給口２３側に装着し、今度は原稿の裏の面を画像読取部で読み取るようなワークフローも可能になる。
【００２５】
トレイ２１，２２は図３に示すように、原稿を載置する矩形の水平部３１と、この水平部３１の両端部（原稿の幅方向での両端部）から垂直に立ち上げられた一対の側壁部３２，３２と、前記水平部３１の一端部（前記接続口と反対側の端部）から垂直に立ち上げられた背面壁部３３と、を有している。
【００２６】
また、前記トレイ２１，２２は、セットされた原稿の側部を案内するための一対のガイド（原稿案内部）１４，１４を備えている。従って、原稿トレイ２１においては、ガイド１４，１４が原稿の両側部に当接することで、原稿を原稿供給口２３から本体２０内の原稿搬送経路２５へ真っ直ぐ送り出すことができる。また、このガイド１４，１４はスライド溝１８に沿って移動可能に構成しており、ガイド１４，１４を移動させることで、セットされる原稿のサイズが種々異なるのに対応させることができる。
【００２７】
また、この一対のガイド１４，１４の互いに対向する面（原稿の案内作用を営むガイド面）は、その前記接続口側の端部に円弧部を有している。そして、この円弧部があることにより、一対のガイド面同士の間隔は、前記接続口側の端部から離れるに従って狭まるように構成されている。
【００２８】
従って、排出トレイ２２においては、原稿排出口２４から排出される原稿が前記ガイド面（円弧部）によって案内されることで、原稿の排出位置が幅方向に自動的に揃えられる。従って、排出トレイ２２内の原稿をまとめたり整理する作業が簡単になる。
【００２９】
前記トレイ２１，２２の背面壁部３３には、識別部分としてのネームプレート１７が設置されている。このネームプレート１７には、例えば原稿文書の名前やトレイの名前等、原稿やトレイを識別するための情報を記載する。これによって、トレイ内の原稿やトレイ自体の識別が容易となり、作業の効率化が可能となる。
【００３０】
また、トレイ２１，２２は図４に示すように、自動原稿搬送装置１１から取り外した状態で２つを上下反対に重ね合わせて箱状にすることができる。即ち、２つのトレイの接続口の向きを互いに反対に向けるとともに、一方のトレイを上下逆さにして２つを互い違いに組み合わせると、一方のトレイの開放側が他方のトレイによって塞がれ、全体として閉鎖された箱状となるようにすることができる。
【００３１】
原稿１９をトレイ２１，２２にセットした状態で図４のように重ね合わせて保管することで、内部の原稿１９を外部のゴミや汚れから良好に保護することができる。なお、２つのトレイを重ね合わせるときに、図４に示すように、一方のトレイの一側の側壁部３２を、他方のトレイの側壁部３２とガイド１４との間に差し込むようにすることで、図の箱形態が安定するとともに、コンパクトな箱状となって省スペース化も実現できる。
【００３２】
また、トレイ２１，２２は図５に示すように、自動原稿搬送装置１１から取り外した状態で、複数個を同じ向きで上下に重ねることもできる。これにより、上に積層されるトレイがカバーの役割を果たし、下側のトレイにセットされている原稿１９を保護することができる。
【００３３】
なお、各トレイ２１，２２の水平部３１の底面には凸部（位置決め部）１６が設けられるとともに、側壁部３２，３２の上面には、前記凸部１６に対応する位置に凹部（位置決め部）１５を設けている。この構成により、トレイを重ねる際に凸部１６と凹部１５とを嵌合させるようにすれば、複数のトレイを簡単に揃えて重ねることができ、また、その状態で位置ズレせず安定させることができる。
【００３４】
以上に示すように、本実施形態のコピーファクシミリ複合機１０は自動原稿搬送装置１１を備え、この自動原稿搬送装置１１は、原稿を供給する原稿トレイ２１と、原稿を排出する排出トレイ２２とを備える。そして、前記原稿トレイ２１と前記排出トレイ２２とが同一形状であり、各トレイ２１，２２は自動原稿搬送装置１１に着脱可能に構成されている。
【００３５】
言い換えれば、本実施形態に示される画像読取装置用のトレイ２１，２２は、自動原稿搬送装置１１の原稿供給口２３と原稿排出口２４の何れにも着脱可能に構成されている。
【００３６】
これにより、自動原稿搬送装置１１から分離した状態のトレイ２１，２２に原稿１９をセットして保管することができる。更に、原稿１９を読み取りたい時は、原稿１９をトレイ２１ごと自動原稿搬送装置１１の原稿供給口２３にセットすることができ、また画像読取後は、原稿排出口２４から排出された原稿をトレイ２２ごと分離してそのまま保管することができる。これによって、原稿１９の画像読取部へのセット作業、読取後の原稿１９の回収及び保管作業の効率化を図れる。また、トレイ２１，２２が自動原稿搬送装置から分離できることから修理、交換等のメンテナンスが容易となる。更に、原稿トレイ２１と排出トレイ２２が共通部品になるので、製造コストを低減できる。
【００３７】
また、自動原稿搬送装置１１から分離した前記トレイ２１，２２は、図４に示すように２つを上下反対に重ね合わせ、箱状にすることが可能になっている。
【００３８】
これにより、トレイに原稿１９をセットした状態でもう１つのトレイを上下反対に重ね合わせ、箱状にして保管することで、内部の原稿１９をゴミや汚れから保護でき、原稿読取時の画質低下を防止できる。
【００３９】
また、自動原稿搬送装置１１から分離した前記トレイ２１，２２は、図５に示すように同一向きで上下に重ねることが可能に構成されている。
【００４０】
これにより、複数のトレイ２１，２２及び原稿をコンパクトなスペースに保管することができる。また、上に積層されるトレイがカバーの役割を果たし、下側のトレイにセットされている原稿１９を保護することができる。
【００４１】
また、前記トレイ２１，２２は、原稿の側部を案内するガイド１４，１４を対で備え、前記ガイド１４，１４のガイド面同士の間隔が、前記自動原稿搬送装置１１に接続する側の端部から離れるに従って狭まるように構成されている。
【００４２】
これにより、前記トレイを排出トレイ２２として用いて自動原稿搬送装置１１から原稿を排出するときに、原稿が前記ガイド１４，１４のガイド面によって自動的に案内される。従って、排出原稿の位置がトレイ２２内で自動的に揃えられるので、原稿を揃えたり整理する作業が簡単になる。
【００４３】
また、前記トレイ２１，２２は、保管する原稿１９又はトレイ２１，２２を識別するためのネームプレート１７を有している。
【００４４】
これにより、原稿１９の管理の容易化及び作業効率の向上を図ることができる。
【００４５】
以上に本発明の好適な実施形態を説明したが、上記の構成は例えば以下のように変更することができる。
【００４６】
トレイ２１，２２の自動原稿搬送装置１１に対する接続方法としては、単に差し込む方法に限らず、例えばトレイ２１，２２の接続口部分にスナップフィットを設け、原稿供給口２３や原稿排出口２４へ係止して固定する方法を採用することができる。
【００４７】
トレイ２１，２２の内部のガイド１４は、両側を可動させる場合に限らず、片側だけを可動させる構成に変更することができる。また、ガイド１４の移動方法についても、スライド溝１８に代えてスライドレールを使用する等、事情に応じて適宜変更することができる。更には、両側のガイドを固定式とするとともに、原稿のサイズ毎に様々な大きさのトレイを用意しておき、所要のトレイを自動原稿搬送装置１１の本体２０に装着して使用する構成に変更することができる。
【００４８】
トレイ２１，２２を上下に重ねるための方法や、凹部１５及び凸部１６の形状、配置等は、適宜変更することができる。また、トレイ２１，２２を重ねる数は、図５には３つの場合を示したが、２つであっても良いし４つ以上であっても良い。また、トレイ２１，２２を重ねる場合は、図５のように位置を揃えて重ねることに代えて、位置を適宜ズラしながら階段状に積層することもできる。また、図４に示す２つのトレイの組合せを、更に上下に複数組重ねるようにしても良い。
【００４９】
ネームプレート１７の設置場所は、背面壁部３３に設置する場合に限らず、例えば側壁部３２等、事情に応じて適宜変更することができる。また、識別部分としては、ネームプレート１７を用いることに代えて、例えば紙製の粘着ラベル、バーコードが印刷されたタグ等を用いることができる。
【００５０】
本実施形態の構成は、フラットベッド及びＡＤＦの兼用の画像読取部に限らず、ＡＤＦ専用とした画像読取部にも適用することができる。また、本実施形態の構成は、コピーファクシミリ複合機１０に限らず、例えばイメージスキャナや、コピー機能のみ又はファクシミリ機能のみを単独で備えるコピー装置やファクシミリ装置等にも適用することができる。
【図面の簡単な説明】
【００５１】
【図１】本発明の一実施形態に係るコピーファクシミリ複合機の全体的な構成を示した斜視図。
【図２】コピーファクシミリ複合機の自動原稿搬送装置に対するトレイの着脱を示す正面図。
【図３】自動原稿搬送装置から取り外した状態のトレイの斜視図。
【図４】自動原稿搬送装置から取り外したトレイを上下反対に重ね合わせた斜視図。
【図５】自動原稿搬送装置から取り外したトレイを上下に重ねた斜視図。
【符号の説明】
【００５２】
１０  コピーファクシミリ複合機（画像読取装置、ファクシミリ装置）
１１  自動原稿搬送装置
１３  トレイ差込口
１４  ガイド（原稿案内部）
１５  凹部（位置決め部）
１６  凸部（位置決め部）
１７  ネームプレート（識別部分）
１８  スライド溝
１９  原稿
２１  原稿トレイ（トレイ）
２２  排出トレイ（トレイ）
２３  原稿供給口
２４  原稿排出口
２５  原稿搬送経路
【図１】
2008177699.tif 000003
【図２】
2008177699.tif 000004
【図３】
2008177699.tif 000005
【図４】
2008177699.tif 000006
【図５】
2008177699.tif 000007